【事件の表示】
　特許第３０２７１３１号「ノック式筆記具」の請求項１ないし３に係る特許に対する特許異議の申立てについて、次のとおり決定する。
【結　論】
　訂正を認める。
　特許第３０２７１３１号の請求項１に係る特許を取り消す。
【理　由】
１．手続きの経緯
　特許第３０２７１３１号の請求項１ないし請求項３に係る発明についての出願は、平成９年８月２８日に特許出願され、平成１２年１月２８日にその特許権の設定登録がなされ、その後、株式会社　壽　より特許異議の申立がなされ、取り消しの理由が通知され、その指定期間内である平成１３年７月２７日に訂正請求がなされたものである。
２．訂正の適否についての判断
（１）訂正の内容
ア．訂正事項ａ
　特許請求の範囲の記載を、次のとおり訂正する。
【請求項１】剪断減粘性を有する筆記具用インキを収容したレフィールを、軸筒内にスプリングにより軸筒の後端方向へ付勢して摺動自在に配置し、ノック体を操作することにより、レフィール先端のペン先部を軸筒の先端開口部より出没可能なノック機構を備えたノック式筆記具において、ノック体の操作荷重を５００〜８００ｇに設定し、前記ペン先部が、軸筒内に収容された際の軸筒の先端開口部からペン先部の先端までの待機距離を２〜５ｍｍとしたことを特徴とするノック式筆記具。
イ．訂正事項ｂ
　明細書の段落番号【０００８】の記載を、次のとおり訂正する。
　【０００８】
　【課題を解決するための手段】
　本発明は前記目的を達成するために、剪断減粘性を有する筆記具用インキを収容したレフィールを、軸筒内にスプリングにより軸筒の後端方向へ付勢して摺動自在に配置し、ノック体を操作することにより、レフィール先端のペン先部を軸筒の先端開口部より出没可能なノック機構を備えたノック式筆記具において、ノック体の操作荷重を５００〜８００ｇに設定し、前記ペン先部が、軸筒内に収容された際の軸筒の先端関口部からペン先部の先端までの待機距離を２〜５ｍｍとするものである。
ウ．訂正事項ｃ
　明細書の段落番号【０００９】の記載を、削除する。
（２）訂正の目的の適否、新規事項の有無、及び特許請求の範囲の拡張・変更の存否
　上記訂正事項ａは、請求項２のみに記載されていた付加的構成要件及び請求項３のみに記載されていた付加的構成要件を、請求項１にそれぞれ加え、請求項２及び請求項３を削除するものであるから、特許請求の範囲の減縮を目的とした明細書の訂正に該当し、上記訂正事項ｂ及び訂正事項ｃは、上記訂正事項ａと整合を図るものであるから、明りょうでない記載の釈明を目的とした明細書の訂正に該当し、いずれも、新規事項の追加に該当せず、実質上特許請求の範囲を拡張し、又は変更するものではない。
（３）むすび
　上記訂正は、特許法第１２０条の４第２項及び同条第３項において準用する同法第１２６条第２、３項の規定に適合するので、この訂正を認める。
３．特許異議の申立てについての判断
（１）申立ての理由の概要
　特許異議申立人　株式会社　壽　は、
（Ｉ）書証
　甲第１号証：「Ｐｅｎｔｅｌ　１９８７　総合カタログ」
　甲第２号証：「三菱鉛筆　総合カタログ　１９９１」
　甲第３号証：「１９９１　トンボ鉛筆総合カタログ　ＴＯＭＢＯＷ　ＣＡＴＡＬＯＧ」
　甲第４号証：財団法人　化学物質評価研究機構　「試験報告書」平成１２年９月１３日
　甲第５号証：特開昭６３−６７１９６号公報
　甲第６号証：実公平６−１５７３２号公報
（II）検証物
　検甲第１号証の１〜８：携帯用ボールペン　ＳＤ−３０９Ｂ’Ｓ
　　　　　　　　　　　　試料Ｎｏ．１〜８
　検甲第２号証の１，２：ボールペン　ＢＣ−５００ＺＮ　ＺＯＯＭ　４０４ｂｃ
　　　　　　　　　　　　試料Ｎｏ．１，２
　検甲第３号証の１〜５：ボールペン　ＢＣ−６００ＺＦ　フィールドワーカー
　　　　　　　　　　　　試料Ｎｏ．１〜５
を提出して、特許第３０２７１３１号の請求項１ないし請求項３に係る発明の特許は、特許法第２９条第２項の規定に違反してされたものであるから、特許法第１１３条第２号に該当し、特許を取り消すべき旨主張している。
（２）請求項１に係る発明
　本件特許第３０２７１３１号の請求項１に係る発明は、訂正明細書の特許請求の範囲の請求項１に記載された事項により特定されるとおりのものである。（上記、２．（１）訂正の内容ア．参照。）
（３）書証に記載の事項
　当審が通知した取消しの理由に引用された書証５（甲第５号証：特開昭６３−６７１９６号公報）には、
５−ア．「カートリッジが筆記具ハウジング内の引込位置を占める時に、カートリッジのボールポイントは典型的にはハウジング内に約１ｍｍ±１ｍｍのところに後退する。ウィッキングの問題、即ち不充分に引込んだボールポイントからのインクが使用者の衣服を汚す問題はボールポイントペンでこれまで使用されているインクより剪断を受けた時に比較的低い粘度を有する若干の新しい種類のインクによってかなり起こり得る。
　その新しい種類のインク又は他の低粘度のインクを含む筆記ユニットカートリッジを使用する時、カートリッジを筆記具ハウジング中へ更に引込める突出−引込機構を採用することは望ましい。加えて、筆記具自体の中に永久的に組込まれている機構の現存の構成要素を再設計することを必要とせずに筆記ユニットカートリッジを大きく引込め得る突出−引込機構を利用することは望ましい。
　このため、取替可能なカートリッジユニットのカム体だけを修正することによってカートリッジユニットの大きな引込を達成することは望ましい。そのような目標は世間で現在使用されている既知の筆記具組立体に先のカートリッジユニットと互換可能に使用される新しい低粘度インクを有する改良されたカートリッジユニットを可能にする。」（第４頁左上欄第１８〜左下欄第２行。）
５−イ．「この筆記具は、管状ハウジングと、該ハウジング中に摺動可能に取付けられて前方突出位置及び後方引込位置の間を移動し得るカートリッジユニットと、カートリッジユニットを前記引込位置の方へ後方へ押圧するばねと、ハウジング中でのカートリッジユニットの位置を制御するための突出−引込機構とを有し、」（第４頁左下欄第４〜１１行。）
５−ウ．「最初に第１図を参照すると、符号１０で全体的に示された筆記具が例示されており、この筆記具は前方突出位置及び後方引込位置の間を移動し得るように中に摺動可能に取付けられた筆記ユニット１４を有する前方管状ハウジング部材１２を有する。符号１６で全体的に示されかつ以下に詳しく説明されるキャップ組立体は管状ハウジング１２の後方端に螺合される。筆記ユニット１４は好ましくはボール筆記先端２２を支持する縮小されたインク供給部分２０に続くインク溜部分１８を有するカートリッジ又はモジュール形式のものである。筆記ユニット１４は引込ばね２４によって引込位置へ押圧されており、引込ばね２４は縮小されたインク供給部分２０と同心状に取付けられかつ溜部分１８及び縮小されたインク供給部分２０の間の連結部に形成された肩２６に対して当っている。カートリッジ１４は好ましくはかしめ加工又はポンチ加工によってその後方端に固定された円筒状のラチェット又はカム体２８を支持している。
　キャップ組立体１６はその外部表面上に取付けられたクリップ３２を有する全体的に円筒状の後方ハウジング３０を含む。第１図及び第２図に最良にみられるように、ハウジング部材３０はキャップ組立体１６内を軸線方向に移動し得るように押下可能の作動ボタン３６を受入れかつ支持する後方に面する円形開口３４を設けている。後方ハウジング部材３０中に開口３４に内方で近接して形成された内部肩３８は作動ボタン３６の表面に設けられた環状隆起部４０と協働して作動ボタン３６の抜けを防止し、それをキャップ組立体１６中に保持する。環状隆起部４０に近接してその前方端に、作動ボタン３６は一体のカラー４２を形成している。
　作動ボタン３６の前方に、キャップ組立体１６は作動ボタン３６のカラー４２を受入れるように形成された内部開口を有する全体的に管状のプランジャ４４を含む。環状リム４６がプランジャ４４の後方端に形成されておりかつ作動ボタン３６が後方ハウジング３０の外方に出ている。以下に詳述する目的のために、直径方向に向合ったフィンガ５２及び５４がプランジャ上を前方へ延びておりかつ前方に面する傾斜したカム従動子表面５６、５７でそれぞれ終端している。」（第５頁右上欄第２〜右下欄第３行。）、
５−エ．「それぞれのフィンガ５２及び５４の前方に面するカム従動子表面５６及び５７はボタン３６が押下げられた時にカートリッジ１４上のラチェット２８に係合しかつそれを回転させる。」（第６頁左上欄第１０〜１４行）、
５−オ．「第１３図に最も明瞭に図示されているように、ラチエットフレームのストッパ部材６６，６８が深い溝６７，６９（７９ａ，８０ａ，８１ａ、及び８５ａ，８６ａ及び８７ａによってそれぞれ画成されている）中に位置している時に、これらの深い溝の全深さはストッパ部材によって使用され、それによりペン中のカートリッジ１４の引込を約１．０ｍｍだけ増加する。」（第６頁右下欄第１２〜１８行。）、
５−カ．「第２１図に最も明瞭に図示されているように、ラチエットフレーム体のストッパ部材６６，６８が７９ｂ，８０ｂ，８１ｂによって及び８５ｂ，８６ｂ及び８７ｂによってそれぞれ画成された二つの深い溝中に配置される時に、これら溝の全深さはストッパ部材によって利用され、それによりペン中のカートリッジ１４の引込を約１．０ｍｍだけ増加する。」（第７頁右上欄第３〜９行。）、
５−キ．「低粘度を有する種類のインクを充填した修正されたインクカートリッジユニットが筆記具１０のカートリッジ１２内に充分に引込められるので、使用者の衣服へのインクのウイッキングは排除される。」（第１０頁左上欄第９〜１３行。）、
と記載されている。
　また、同じく取消しの理由に引用された書証１（甲第１号証）には、
１−ア．「水性ボールペン《ローリー》」（第５頁）、
１−イ．「ＲＥＴＲＡＣＴＡＢＬＥ　ＲＯＬＬＥＲ　ＰＥＮ」（第５頁）、
１−ウ．「リトラクタブル　ローラーペン−ローリー」（第５頁）、
１−エ．「Ｐｒｅｓｓｕｒｅ　ｏｆ　Ｐｕｓｈ−Ｂｕｔｔｏｎ：５５４ｇ±４６ｇ」（第５頁）、
１−オ．「ペン先の出し方　←ノックする　カチッと音がしてペン先が止まるまで」（第６頁）、
と記載されている。
（４）請求項１に係る発明について
　書証５には、上記摘記事項及び第１，２図からみて、「剪断を受けた時に比較的低い粘度を有する種類のインキを収容したカートリッジ１４を、前方管状ハウジング部材１２内に引込ばね２４により前方管状ハウジング部材１２の後端方向へ付勢して摺動自在に配置し、作動ボタン３６を押下げることにより、カートリッジ１４先端のボール筆記先端２２（ボ−ルポイント）を前方管状ハウジング部材１２の先端開口部より出没可能な突出−引込機構を備えた押下げ式筆記具において、前記ボール筆記先端２２（ボールポイント）が、筆記具ハウジング内に収容された際の前方管状ハウジング部材１２の先端開口部からボール筆記先端２２（ボールポイント）までの引込を約１〜３ｍｍとした押下げ式筆記具。」が記載されている。
　請求項１に係る発明と書証５に記載された発明とを対比すると、書証５の「剪断を受けた時に比較的低い粘度を有する種類のインキ」、「カートリッジ１４」、「前方管状ハウジング部材１２」、「引込ばね２４」、「作動ボタン３６」、「ボール筆記先端２２（ボールポイント）」、「突出−引込機構」、及び「押下げ式筆記具」は、それぞれ請求項１に係る発明の「剪断減粘性を有する筆記具用インキ」、「レフィール」、「軸筒」、「スプリング」、「ノック体」、「ペン先部」、「ノック機構」、及び「ノック式筆記具」に相当するから、両者は、「剪断減粘性を有する筆記具用インキを収容したレフィールを、軸筒内にスプリングにより軸筒の後端方向へ付勢して摺動自在に配置し、ノック体を操作することにより、レフィール先端のペン先部を軸筒の先端開口部より出没可能なノック機構を備えたノック式筆記具。」の点で一致し、下記Ａ、Ｂの点で相違している。
Ａ．請求項１に係る発明が、ノック体の操作荷重を５００〜８００ｇに設定しているのに対し、書証５に記載された発明では、作動ボタン３６の押下荷重についての規定がない点。
Ｂ．請求項１に係る発明が、軸筒の先端開口部からペン先部の先端までの待機距離を２〜５ｍｍとしているのに対し、書証５に記載された発明では、ボール筆記先端２２（ボールポイント）が、筆記具ハウジング内に収容された際の前方管状ハウジング部材１２の先端開口部からボール筆記先端２２（ボールポイント）までの引込を約１〜３ｍｍとしている点。
　相違点Ａについて検討するに、書証１には、ノック体を押し下げてリフィル先端のペン先を軸筒の先端開口部より突出させるノック式筆記具が記載されていることが、上記摘記事項及び第５、６頁の写真若しくは図面から了解できる。そして、摘記事項１−エ．の「Ｐｒｅｓｓｕｒｅ　ｏｆ　Ｐｕｓｈ−Ｂｕｔｔｏｎ：５５４ｇ±４６ｇ」は、書証５に記載された発明の作動ボタンの押し下げ荷重に等しいものと解される。そうすると、書証５に記載された発明において、作動ボタンの押し下げ荷重を５５４ｇ±４６ｇ、即ち、５０８〜６００ｇの範囲に具体的に設定することは、書証１に記載された同じ筆記具におけるノック体の押し下げ荷重を採用することによって、当業者が容易に設定できたものである。そしてこの押し下げ荷重５０８〜６００ｇの範囲は請求項１に係る発明のノック体の操作荷重５００〜８００ｇを充足している。
　相違点Ｂについて検討するに、書証５の引込約１〜３ｍｍは、請求項１に係る発明の待機距離２〜５ｍｍと、２〜３ｍｍの範囲で重複している。
　そして、請求項１に係る発明の効果についてみても、格別の効果を奏するものではなく予測される範囲内のものである。
　以上のとおりあって、書証５及び書証１は、本件請求項１に係る出願の出願前日本国内において頒布された刊行物に相違なく、請求項１に係る発明は、書証５に記載された発明及び書証１に記載された発明に基づいて当業者が容易に発明をすることができたものである。
（５）むすび
　以上のとおりであって、請求項１に係る発明の特許は、特許法第２９条第２項の規定に違反してされたものである。
　したがって、請求項１に係る発明の特許は特許法第１１３条第２号に該当し、取り消されるべきものである。
　よって、結論のとおり決定する。
【異議決定日】
平成１３年１０月２９日（２００１．１０．２９）
【訂正の要旨】
　訂正の要旨
１．特許請求の範囲の減縮を目的として、
　特許明細書の特許請求の範囲の記載を、
「【請求項１】剪断減粘性を有する筆記具用インキを収容したレフィールを、軸筒内にスプリングにより軸筒の後端方向へ付勢して摺動自在に配置し、ノック体を操作することにより、レフィール先端のペン先部を軸筒の先端開口部より出没可能なノック機構を備えたノック式筆記具において、ノック体の操作荷重を５００〜８００ｇに設定し、前記ペン先部が、軸筒内に収容された際の軸筒の先端開口部からペン先部の先端までの待機距離を２〜５ｍｍとしたことを特徴とするノック式筆記具。」と訂正する。
２．上記１．の特許明細書の特許請求の範囲の訂正と整合させるため、明りょうでない記載の釈明として、
（１）特許明細書の段落番号【０００８】の記載を、
「【０００８】
　【課題を解決するための手段】
　本発明は前記目的を達成するために、剪断減粘性を有する筆記具用インキを収容したレフィールを、軸筒内にスプリングにより軸筒の後端方向へ付勢して摺動自在に配置し、ノック体を操作することにより、レフィール先端のペン先部を軸筒の先端開口部より出没可能なノック機構を備えたノック式筆記具において、ノック体の操作荷重を５００〜８００ｇに設定し、前記ペン先部が、軸筒内に収容された際の軸筒の先端関口部からペン先部の先端までの待機距離を２〜５ｍｍとするものである。」と訂正する。
（２）特許明細書の段落番号【０００９】の記載を、
削除する。
（５４）【発明の名称】
ノック式筆記具
（５７）【特許請求の範囲】
　【請求項１】
剪断減粘性を有する
し、前記ペン先部が、軸筒内に収容された際の軸筒の先端開口部からペン先部の先端までの待機距離を２〜５ｍｍとした
【発明の詳細な説明】
　【０００１】
　【発明の属する技術分野】
　本発明は、軸筒内に摺動自在に配置したレフィールをスプリングにより軸筒の後端方向に付勢し、ノック体を操作することによりレフィール先端のペン先部を軸筒の先端開口部より出没可能なノック機構を備えたノック式筆記具に関する。
　【０００２】
　【従来技術】
　従来より、筆記具用インキを収容したレフィールを、軸筒内にスプリングにより軸筒の後端方向へ付勢して摺動自在に配置し、ノック体を操作することによりレフィール先端のペン先部を軸筒の先端開口部より出没可能なノック機構を備えたノック式筆記具の構造はよく知られている。
　【０００３】
　ところで、ノック式筆記具をポケット等に挿着した時に、ノック体に手等が触れ知らぬ間にペン先部が軸筒の先端開口部より突出して、特に筆記具用インキが低粘度である水性インキや２５℃において粘度が３０００ｍＰａ・ｓ以下の油性のインキの場合には、ポケットの布地等をインキで汚してしまうという問題が間々あった。
　【０００４】
　最近、筆記具用インキとして、静的には粘度が高く、筆記時にボールの回転等により粘度が低くなる剪断減粘性を有したインキ、いわゆるゲルインキと呼ばれているインキを用いた筆記具が多数提供されており、この剪断減粘性インキを用いたノック式筆記具も提供されている。剪断減粘性インキは、レフィール内に水性インキの時のように中綿状のインキ収蔵体等を用いずに直詰めして収容する。従って、ノック式筆記具として提供した場合、前述したように知らぬ間にペン先部が軸筒の先端開口部より突出して、ペン先部のボールがポケットの布地等に擦られて回転することにより、又は布地等の毛細管引力により、ペン先部に存する剪断減粘性インキの粘度は低下してしまうので布地への染み込みは、著しいものがある。
　【０００５】
　従って、レフィール内に低粘度インキ又は剪断減粘性インキを収容したノック式筆記具においては、少なくともポケット等に挿着した時には、操作体を操作してもレフィール先端のペン先部が軸筒の先端開口部より突出しないように、セーフティー機構を設けることが行われていた。
　【０００６】
　【発明が解決しようとする課題】
　しかし、こうしたセーフティー機構を設けると、従来のノック機構にさらにセーフティー機構を付加することになり、構造が複雑となったり、部品の増加につながり、製造上の問題から低価格品のノック式筆記具に採用するには難しいという問題があった。
　【０００７】
　本発明者は上記問題を鑑み、ノック式筆記具において、従来のノック機構を踏襲することができ、ポケット等に装着した時に、軽くノック体に触れた程度ではペン先部が軸筒の先端開口部より突出することのないようなノック式筆記具を提供できないかを検討した。その結果、従来のノック式筆記具においては、ノック体の操作荷重がノック機構における操作性から、２００〜３００ｇにだいたい設定されていることに着眼し、このノック体の操作荷重を上げてやることにより、ノック体に手等が触れて知らぬ間にペン先部が軸筒の先端開口部より容易に突出しないようにしてやればよい事に気づき、本発明に至った。
　【０００８】
　【課題を解決するための手段】
　本発明は前記目的を達成するために、
剪断減粘性を有する
し、前記ペン先部が、軸筒内に収容された際の軸筒の先端開口部からペン先部の先端までの待機距離を２〜５ｍｍと
　【００１０】
　前記ペン先部が、軸筒内に収容された際の軸筒の先端開口部からペン先部の先端までの待機距離において、従来では約１ｍｍ位のものを２〜５ｍｍと長くすることにより、ノック体に手等が触れて知らぬ間にペン先部が軸筒の先端開口部より容易に突出しないようにすると有効である。５ｍｍより長くすると、ノック体の操作性の問題から好ましくない。
　【００１１】
　本発明において、ノック体の操作荷重とは、ノック体を操作してペン先部が突出状態を維持させるのに必要な操作荷重で、ペン先部を備えたレフィールを軸筒の後端方向に付勢しているスプリングを縮める荷重と、ノック操作時のノック機構部に生じる部品間の摩擦力とを総合した荷重である。操作荷重は、スプリングの弾発力に左右されるところが大きいので、現実問題としては、スプリングの弾発力を選定することにより、操作荷重を設定すればよい。操作荷重の測定は、プッシュプルスケ−ルを用いて行う、計測軸端に先端が平坦なアタッチメントを取付けてノック体を押圧し、ペン先部が突出状態を維持させるのに必要な最大荷重を操作荷重とする。
　【００１２】
　尚、操作荷重は、検討した結果、５００ｇより低いとノック体に軽く手等が触れた程度でペン先部が突出してしまう恐れがあり、８００ｇより高い荷重ではノック体の操作性が悪くなり、またペン先部を軸筒内に没入させる際の衝撃により、インキの飛出しが起こりやすくなるため、５００〜８００ｇに設定することが重要である。
　【００１３】
　ノック式筆記具におけるノック機構には、従来からよく知られている回転カムを用いた機構、突起を係止孔等に係止してなる機構やハートカム溝を用いた機構等があるが、本発明においては、どれを採用してもよく、特に限定されるものではない。
　【００１４】
　【発明の実施の形態】
　本発明の実施の形態を図面を用いて説明する。
　ノック式筆記具１は、軸筒２内に、内部に剪断減粘性インキ（図示せず）を直詰めして収容し、先端にボールを回転自在に抱持したボールペンチップ３からなるペン先部４を有したレフィール５を摺動自在に配置し、そのレフィール５をコイルスプリング６により軸筒２の後端方向に付勢し、レフィール５の後端に、軸筒の後端開口部２ｂより外側に突出したノック体７と、該ノック体７の先端部に設けたカム部（図示せず）と、回転カム８と、軸筒２の内壁面に形成したカム溝（図示せず）とで構成した、従来より公知技術であるノック機構を配設した構造である。軸筒２の後端部には、クリップ９を設けてある。
　【００１５】
　レフィール５は、ペン先部４が軸筒２に収容された際の、軸筒の先端開口部２ａからペン先部４先端までの待機距離Ｈが、３ｍｍとなるように軸筒２内に挿入してある。また、プッシュプルスケールで測定した結果、ノック体７の操作荷重が６００ｇとなるように、バネ定数が０．０３６ｋｇ／ｍｍで、筆記時における自由長からの圧縮が約１３ｍｍとなるようにコイルスプリング６を配設してある。
　【００１６】
　本発明のノック式筆記具１は、ノック体７を６００ｇ以上の押圧力で押圧することにより、回転カム８を用いたノック機構が作用し、レフィール５がコイルスプリング６の弾発力に抗して前進し、図２に示すようにペン先部４が軸筒の先端開口部２ａより突出し、その状態を維持して筆記可能となる。さらに、再度ノック体７を押圧することにより、ペン先部４は軸筒の先端開口部２ａより没入する。
　【００１７】
　【発明の効果】
　本発明のノック式筆記具は、前述したような構造なので、ポケット等に挿着した時に誤ってノック体に手等が触れる程度の力が掛っても容易にペン先部が軸筒の先端開口部より突出しないようにしてあるので、従来のように知らぬ間にペン先部が軸筒の先端開口部より突出して、ポケット等の布地を汚すことがない。
　【００１８】
　また、従来のノック機構を踏襲することができ、新たにセーフティー機構を付加するものでないので、構造が複雑となることもなく、かつ部品数が増加することもないので製造上において多大な利点があり、従って低価格品のノック式筆記具にも採用できるという利点がある。
【図面の簡単な説明】
　【図１】
　本発明の実施の形態を示すノック式筆記具で、ペン先部を軸筒内に没入した状態を示す、要部を縦断面図である。
　【図２】
　図１のノック式筆記具において、ペン先部を軸筒の先端開口部より突出した状態を示した図である。
　【符号の説明】
　１　ノック式筆記具
　２　軸筒
　４　ペン先部
　５　レフィール
　６　コイルスプリング
　７　ノック体
　Ｈ　待機距離